(57)【特許請求の範囲】
【請求項１】
吹出口および吸込口を有する筺体と、
上記筺体内に設けられた送風装置と、
上記筺体内に設けられたヒータと、
上記筺体内に設けられると共に、正イオンと負イオンとを生成することができるイオン発生器と、
上記イオン発生器で生成された上記正イオンおよび上記負イオンの髪への浸透を促進する浸透モードの運転を選択するための浸透モード選択部と、
上記浸透モード選択部によって上記浸透モードが選択されると、上記イオン発生器および上記送風装置を駆動しつつ、上記ヒータを、上記吹出口からの吹出空気の温度が、上記イオン発生器で生成された上記正イオンおよび上記負イオンの髪への浸透が促進される予め定められた促進温度になるように制御する制御部と
を備えることを特徴とするヘアケア装置。
【請求項２】
請求項１に記載のヘアケア装置において、
上記正イオンは、Ｈ＋（Ｈ２Ｏ）ｍ（ｍは任意の自然数）であり、上記負イオンは、Ｏ２−（Ｈ２Ｏ）ｎ（ｎは任意の自然数）であることを特徴とするヘアケア装置。
【請求項３】
請求項１または２に記載のヘアケア装置において、
上記促進温度は、５５℃を上限とすることを特徴とするヘアケア装置。
【請求項４】
請求項３に記載のヘアケア装置において、
上記促進温度は、３８℃から５５℃であることを特徴とするヘアケア装置。
【請求項５】
請求項１から４のいずれか１つに記載のヘアケア装置は、ヘアドライヤであることを特徴とするヘアケア装置。
【発明の詳細な説明】
【技術分野】
【０００１】
この発明は、例えば、ヘアドライヤ、ヘアアイロン等のヘアケア装置に関する。
【背景技術】
【０００２】
従来、へアケア装置としては、特開２００９−２５４８４４号公報（特許文献１）に記載されたものがある。このヘアケア装置は、吹出口と吸込口とを有する筺体内に、送風装置と、負イオンを発生するイオン発生器と、ヒータと、空気を冷却するペルチェ素子とを備えて、ペルチェ素子で冷却した空気に向けてイオン発生器から電子を放出して塊状水分子に結合させて、大質量の負イオンを発生するようにしている。
【先行技術文献】
【特許文献】
【０００３】
【特許文献１】特開２００９−２５４８４４号公報
【発明の概要】
【発明が解決しようとする課題】
【０００４】
しかしながら、上記従来のヘアケア装置では、負イオンのみしか生成することができないため、ユーザの髪は、負イオンによって負に過帯電の状態になって、供給すべき負イオンが髪に過帯電した負電荷から反発力を受けて、負イオンおよびそれら負イオンに付随する水分を髪に供給することができなくなるという問題があった。
【０００５】
そこで、この発明の課題は、髪への過帯電を防止し、髪に水分を十分に供給できるヘアケア装置を提供することにある。
【課題を解決するための手段】
【０００６】
上記課題を解決するため、この発明のヘアケア装置は、
吹出口および吸込口を有する筺体と、
上記筺体内に設けられた送風装置と、
上記筺体内に設けられたヒータと、
上記筺体内に設けられると共に、正イオンと負イオンとを生成することができるイオン発生器と、
上記イオン発生器で生成された上記正イオンおよび上記負イオンの髪への浸透を促進する浸透モードの運転を選択するための浸透モード選択部と、
上記浸透モード選択部によって上記浸透モードが選択されると、上記イオン発生器および上記送風装置を駆動しつつ、上記ヒータを、上記吹出口からの吹出空気の温度が、上記イオン発生器で生成された上記正イオンおよび上記負イオンの髪への浸透が促進される予め定められた促進温度になるように制御する制御部と
を備えることを特徴とする。
【０００７】
上記構成によれば、正イオンと、負イオンを生成できるイオン発生器が筺体内に設けられているので、ユーザの髪に正イオンおよび負イオンの両方が供給されて、ユーザの髪に負または正の一方のみの電荷が過剰に蓄積することがなく、したがって、帯電した髪からの反発力が少なくて、正および負イオンを十分に髪に供給することができる。
【０００８】
さらに、上記浸透モード選択部によって、正イオンおよび負イオンの髪への浸透を促進する浸透モードの運転を選択すると、上記制御部は、吹出口からの吹出空気の温度が正イオンおよび負イオンの髪への浸透が促進される促進温度になるようにヒータを制御する。このように、上記吹出口からの吹出空気の温度が上記促進温度になって、イオン発生器で生成される正イオンおよび負イオンのユーザの髪への浸透が促進されるので、イオンに付随する水分が十分に髪に供給され、ケラチンの変性等を防止して、髪へのダメージを大きく低減することができる。
【０００９】
また、一実施形態のヘアケア装置では、
上記正イオンは、Ｈ＋（Ｈ２Ｏ）ｍ（ｍは任意の自然数）であり、上記負イオンは、Ｏ２−（Ｈ２Ｏ）ｎ（ｎは任意の自然数）である。
【００１０】
上記実施形態によれば、上記イオン発生器は、Ｈ＋（Ｈ２Ｏ）ｍ（ｍは任意の自然数）である正イオンと、Ｏ２−（Ｈ２Ｏ）ｎ（ｎは任意の自然数）である負イオンを生成することができる。これらの正イオンおよび負イオンは、空気中の浮遊細菌の表面に付着し、化学反応して活性種であるＨ２Ｏ２または・ＯＨ（水酸基ラジカル）を生成する。このＨ２Ｏ２または・ＯＨは、極めて強力な活性を示すため、空気中の浮遊細菌であるカビや雑菌を取り囲んで不活化、除去することができる。
【００１１】
また、一実施形態のヘアケア装置では、
上記促進温度は、５５℃を上限とする。
【００１２】
上記実施形態によれば、浸透モードを選択した際の促進温度が５５℃であるので、正イオンおよび負イオンに付随する水分の髪への浸透をより確実に促進させることができ、かつ、髪のケラチンの変性を抑えることができる。
【００１３】
また、一実施形態のヘアケア装置では、
上記促進温度は、３８℃から５５℃である。
【００１４】
上記実施形態によれば、浸透モードを選択した際の促進温度が３８℃から５５℃であるので、正イオンおよび負イオンに付随する水分の髪への浸透をさらに確実に促進させることができ、体の熱を奪うことがないので好ましい。
【００１５】
また、一実施形態のヘアケア装置では、
上記ヘアケア装置は、ヘアドライヤである。
【００１６】
上記実施形態によれば、使用時に、髪への正または負の一方のみの電荷の帯電を防止すると共に、正負のイオンに付随する水分の髪への浸透を促進し、髪へのダメージを大きく低減することができるヘアドライヤを実現できる。
【発明の効果】
【００１７】
以上より明らかなように、この発明のヘアケア装置によれば、正負のイオンを生成できるので、使用時に、髪への正または負の一方のみの電荷の過剰な帯電を防止でき、さらに、吹出空気の温度を正負のイオンに付随する水分の髪への浸透を促進する温度に制御するので、髪へ正負イオンに付随する水分を十分に供給してケラチンの変性等を防止して、髪へのダメージを大きく低減することができる。
【図面の簡単な説明】
【００１８】
【図１】図１は、この発明のヘアケア装置の一実施形態のヘアドライヤの斜視図である。
【図２】図２は、上記ヘアドライヤの後面図である。
【図３】図３は、図２のIII−III線から見たヘアドライヤの縦断面図である。
【図４】図４は、吸気フィルタが外されたヘアドライヤを吸込口側から見たときの斜視図である。
【図５】図５は、イオン発生器を吐出口に対向する面から見たときの斜視図である。
【図６】図６は、上記ヘアドライヤのヒータにおける構成例を示す図である。
【図７】図７は、上記ヘアドライヤの制御ブロック図である。
【図８】図８は、上記ヘアドライヤの送風モードと送風・ブラッシング後の毛髪の帯電電位との関係を示す図である。
【図９】図９は、第１の実機で、ターボをオフにした状態で、クールモード、セットモード、セットヘアケアモード、ドライモードおよびドライヘアケアモードのイオン濃度の変化を示す表である。
【図１０】図１０は、図９をもとに、同程度の風量となるクールモード、ドライモードおよびドライヘアケアモードにおいて、イオン濃度をプロットしたグラフである。
【図１１】図１１は、第１の実機で、ターボをオンにした状態で、クールモード、セットモード、セットヘアケアモード、ドライモードおよびドライヘアケアモードのイオン濃度の変化を示す表である。
【図１２】図１１をもとに、同程度の風量となるクールモード、ドライモードおよびドライヘアケアモードにおいて、イオン濃度をプロットしたグラフである。
【図１３】第２の実機で、ターボをオフにした状態で、クールモード、セットモード、セットヘアケアモード、ドライモードおよびドライヘアケアモードのイオン濃度の変化を示す表である。
【図１４】図１３をもとに、同程度の風量となるクールモード、ドライモードおよびドライヘアケアモードにおいて、イオン濃度をプロットしたグラフである。
【図１５】第２の実機で、ターボをオンにした状態で、クールモード、セットモード、セットヘアケアモード、ドライモードおよびドライヘアケアモードのイオン濃度の変化を示す表である。
【図１６】図１５をもとに、同程度の風量となるクールモード、ドライモードおよびドライヘアケアモードにおいて、イオン濃度をプロットしたグラフである。
【発明を実施するための形態】
【００１９】
以下、この発明のヘアケア装置を図示の実施の形態により詳細に説明する。
【００２０】
この実施形態のヘアドライヤは、図１に示すように、筺体１と、ハンドル２と、吸気フィルタ３とを備えている。
【００２１】
上記筺体１は、略円錐台形状で、吹出口１１と吸込口１２とを有し、耐熱性に優れたプラスチックからなっている。上記吹出口１１は、略円錐台形状の面積の小さい前面側に設けていて、上記吸込口１２は、略円錐台形状の面積の大きい後面側に設けている。
【００２２】
上記ハンドル２は、上記筺体１の下側やや吸込口１２側に回転自在に取り付けていて、筺体１に対して矢印Ｒの方向に折り畳むことができる。また、ハンドル２の吸込口１２側に電源コード４の一端を接続している。また、上記ハンドル２の吸込口１１側、かつ、ハンドル２の長さ方向の中央部に、浸透モード選択部の一例としてのスライド式の操作部２１を設けている。
【００２３】
上記吸気フィルタ３は、金属またはプラスチックからなり、上記筺体１の吸込口１２側に着脱可能に取り付けている。この吸気フィルタ３は、図２に示すように、網目状の複数の孔を設けていて、この網目状の複数の孔が吸込口１２を形成している。上記吸気フィルタ３は、埃等大きな異物が筺体１内に入らないようにすると共に、動作中に誤って指が風通路８内に入って、送風装置の一例の送風ファン６（図３に示す）に触れることがないように保護している。
【００２４】
図３は、図２のIII−III線から見たヘアドライヤの縦断面図である。なお、図２，図３においては、図１に示す電源コード４を省略している。
【００２５】
上記筺体１内には、図３に示すように、ヒータ５と、送風ファン６と、イオン発生器７とを設けている。また、この筺体１内には、図示しないが、送風ファン６を駆動するファンモータ、配線および電気部品等を設けている。
【００２６】
上記ヒータ５は、風通路８の内部の吹出口１１と送風ファン６との間に配置していて、風通路６の内部の左右の側壁にそれぞれ設けている。なお、図３においては、一方のヒータ５のみを図示している。
【００２７】
上記送風ファン６は、筺体１の内部の略中心に配置していて、吸込口１２から吹出口１１に流れる空気の流れを生成する。この送風ファン６により生成された空気の流れによって、ヒータ５，５により加熱された空気を吹出口１１から筺体１の外部に吹き出す。
【００２８】
上記イオン発生器７は、吸込口１２側の筺体１の底部に設けていて、吸気フィルタ３と送風ファン６との間に配置している。このイオン発生器７は、Ｈ＋（Ｈ２Ｏ）ｍ（ｍは任意の自然数）である正イオンと、Ｏ２−（Ｈ２Ｏ）ｎ（ｎは任意の自然数）である負イオンとを放出する。これらのイオンは、空気中の浮遊細菌の表面に付着し、化学反応して活性種であるＨ２Ｏ２または・ＯＨ（水酸基ラジカル）を生成する。Ｈ２Ｏ２または・ＯＨは、極めて強力な活性を示すため、空気中の浮遊細菌であるカビや雑菌を取り囲んで不活化、除去することができる。
【００２９】
また、上記ハンドル２の内部には、電源部２３と、ヒータ５，５と、送風ファン６と、イオン発生器７とを制御する図示しない制御部２２とを設けている。電源部２３には、図１に示す電源コード４を接続していて、上記操作部２１のオン操作に連動して、制御部２２と、ヒータ５，５と、送風ファン６と、イオン発生器７とに電力を供給する。
【００３０】
図４は、吸気フィルタ３が外されたヘアドライヤを吸込口１２側から見たときの斜視図である。
【００３１】
図４に示すように、上記筺体１の吸込口１２側かつ下側にイオン発生器７を設けていて、図示しない凹部に嵌め込んで取り付けている。このイオン発生器７は、凹部から容易に取り外すことができるため、イオン発生器７のメンテナンス等を容易に行うことができる。
【００３２】
また、上記筺体１の吸込口１２側かつ上側には、係止部１４を設けている。この係止部１４によって、吸気フィルタ３を筺体１に係止している。
【００３３】
図５は、イオン発生器７を吹出口１１に対向する面から見たときの斜視図である。
【００３４】
上記イオン発生器７は、図５に示すように、正イオンを発生する正イオン発生部１５と、負イオンを発生する負イオン発生部１６とを有する。この正イオン発生部１５および負イオン発生部１６は、イオン発生器７を筺体１に取り付けたときに、吹出口１１に対向する面に所定の間隔をあけて設けている。
【００３５】
上記正イオン発生部１５は、先端が尖った針形状の針電極２５と、その針電極２５を取り囲むように配置しているドーナツ円板形状の誘導電極３５とを有している。上記針電極２５は、誘導電極３５の略中心に位置していて、この針電極２５と誘導電極３５の内周縁との間隔を８ｍｍにしている。
【００３６】
一方、上記負イオン発生部１６も、先端が尖った針形状の針電極２６と、その針電極２６を取り囲むように配置しているドーナツ円板形状の誘導電極３６とを有している。上記針電極２６は、誘導電極３６の略中心に位置していて、この針電極２６と誘導電極３６の内周縁との間隔を８ｍｍにしている。
【００３７】
次にヘアドライヤの動作について説明を行う。上記構成のヘアドライヤにおいて、まず、ハンドル２にある操作部２１を操作する。この操作部２１を操作することによって、ヘアドライヤのオンオフの切換えと共に、「通常モード」と「浸透モード」の切換えを行うことができる。通常モードとは、吹出口１１からの吹出空気の温度が約１３０℃になるようにヘアドライヤを運転するモードをいい、浸透モードとは、吹出口１１からの吹出空気の温度が約５０℃になるようにヘアドライヤを運転するモードをいう。
【００３８】
なお、本明細書において、吹出口１１からの吹出空気の温度とは、ＪＩＳＣ９６１３の（７．６．１平常温度実験）で規定された方法で測定された吹出空気の温度をいう。
【００３９】
ユーザが上記操作部２１を操作して所望のモードを選択すると、図６に示すように、電源部２３からの電力が制御部２２に供給され、制御部２２を動作状態にすると同時に、操作部２１で選択されたモードに応じた信号が制御部２２に送られる。制御部２２は、その信号に基づいて、制御部２２からヒータ５，５の電力制御スイッチ部２７，２８に制御信号を送信する。そして、この電力制御スイッチ部２７，２８を介してヒータ５，５に電力を供給し、ヒータ５，５を動作状態にする。
【００４０】
上記制御部２２は、ヒータ５，５をそれぞれ独立して制御する。つまり、１つのヒータ５のみを駆動することもできるし、２つのヒータ５，５を同時に駆動することもできる。そのため、駆動させるヒータ５，５の数によって吹出口１１からの吹出温度を自在に調節することができる。なお、上記制御部２２は、通常モードでは、２つのヒータ５，５を両方とも駆動させるよう制御し、浸透モードでは、１つのヒータ５のみを駆動させるよう制御する。
【００４１】
また、上記制御部２２は、図７に示すように、同時に送風ファン６およびイオン発生器７にも制御信号を送信して、動作状態にさせる。動作状態となった送風ファン６は、予め決められた風量を送風するよう制御され、吸込口１２から吹出口１１に流れる空気の流れを形成する。
【００４２】
一方、動作状態となったイオン発生器７は、正イオン発生部１５および負イオン発生部１６の両方に通電して、Ｈ＋（Ｈ２Ｏ）ｍ（ｍは任意の自然数）である正イオンと、Ｏ２−（Ｈ２Ｏ）ｎ（ｎは任意の自然数）である負イオンを同時に発生させる。
【００４３】
このとき、上記イオン発生器７の正イオン発生部１５では、例えば、針電極２５に実効電圧２ｋＶ以上の電圧と、０Ｖとが切り替わる６０Ｈｚの交流が印加される一方、誘導電極２６には、０Ｖの直流が印加されるようになっている。針電極２５に実効電圧２ｋＶ以上が印加されているときに誘導電極２６との間の電位差によるコロナ放電がおこり、針電極２５の先端部近傍で空気中の水分子が電離して、水素イオン（Ｈ＋）が生成する。この水素イオンが空気中の水分子と群状態で結合（クラスタリング）し、Ｈ＋（Ｈ２Ｏ）ｍ（ｍは、任意の自然数）からなる正イオンが発生する。
【００４４】
一方、上記イオン発生器７の負イオン発生部１６では、例えば、針電極３５に実効電圧−２ｋＶ以下の電圧と、０Ｖとが切り替わる６０Ｈｚの交流が印加される一方、誘導電極３６には、０Ｖの直流が印加されるようになっており、負イオンが発生するようになっている。この負イオンは、空気中の酸素分子又は水分子が電離してできる酸素イオンＯ２−である。この酸素イオンが空気中の水分子と結合（クラスタリング）してＯ２−（Ｈ２Ｏ）ｎ（ｎは、任意の自然数）からなる負イオンが発生する。
【００４５】
上記イオン発生器７により生成された正イオンおよび負イオンは、イオン発生器７から筺体１の内部に放出されて、上記送風ファン６により形成される空気の流れに乗り、吹出口１１から筺体１の外部に吹き出され、ユーザの髪に供給される。したがって、ユーザの髪に正イオンおよび負イオンの両方が同時に供給されるので、ユーザの髪に負または正の一方のみの電荷が過剰に蓄積することがなく、したがって、帯電した髪からの反発力が少なくて、正および負イオンを十分に髪に供給することができる。
【００４６】
ところで、上記正イオンおよび上記負イオンは、水素イオンおよび酸素イオンが複数の水分子によって囲まれている。吹出口１１の吹出空気の温度を高くし過ぎると、正イオンおよび負イオンが活性化され、水素イオンおよび酸素イオンの周囲の水分子が減少すると考えられる。そのため、正イオンと負イオンとが互いに結合して消滅し易くなり、ユーザの髪に吹き付けるイオンの量が減少してしまう。
【００４７】
これは、次のような実験により発見された。なお、以下の実験において、上記吹出口１１からの吹出空気の温度に関しては、低い方から高い方へ、順に、クールモード、セットヘアケアモード、ドライヘアケアモード、セットモード、ドライモードとしている。また、ターボをオフにすることで、吹出空気の風量を通常の風量とする一方、ターボをオンにすることで、吹出空気の風量を通常の風量よりも１５％程度多くするようにしている。
【００４８】
図９では、第１のテスト機で、ターボをオフにした状態で、上記各モードのイオン濃度の変化を示す。そして、図９をもとに、同程度の風量となるクールモード、ドライモードおよびドライヘアケアモードにおいて、イオン濃度をプロットしたグラフを、図１０に示す。
【００４９】
図１０では、横軸に、吹出空気の温度を示し、縦軸に、イオン濃度を示す。また、図１０では、菱形に、正イオン濃度を示し、四角形に、負イオン濃度を示し、三角形に、正イオン濃度および負イオン濃度の合計のイオン濃度を示す。なお、図１０では、同程度の風量のモードについて比較したが、これは、風量が多いほどイオン濃度が大きくなるからである。イオンは発生すると同時に中和で消滅するため、速い風で送風することにより中和する前に取り出すことができ、イオン量が増加する。図１０から、吹出空気の温度に対する正イオンおよび負イオンの量（イオン濃度）において極大値が存在することが、分かった。
【００５０】
同様に、図１１では、第１のテスト機で、ターボをオンにした状態で、上記各モードのイオン濃度の変化を示す。そして、図１１をもとに、同程度の風量となるクールモード、ドライモードおよびドライヘアケアモードにおいて、イオン濃度をプロットしたグラフを、図１２に示す。
【００５１】
図１２では、菱形に、正イオン濃度を示し、四角形に、負イオン濃度を示し、三角形に、正イオン濃度および負イオン濃度の合計のイオン濃度を示す。図１２から、吹出空気の温度に対する正イオンおよび負イオンの量（イオン濃度）において極大値が存在することが、分かった。
【００５２】
さらに、図１３では、第２のテスト機で、ターボをオフにした状態で、上記各モードのイオン濃度の変化を示す。そして、図１３をもとに、同程度の風量となるクールモード、ドライモードおよびドライヘアケアモードにおいて、イオン濃度をプロットしたグラフを、図１４に示す。なお、第１のテスト機と第２のテスト機では異なるイオン発生器７を用いている。
【００５３】
図１４では、菱形に、正イオン濃度を示し、四角形に、負イオン濃度を示し、三角形に、正イオン濃度および負イオン濃度の合計のイオン濃度を示す。図１４から、吹出空気の温度に対する正イオンおよび負イオンの量（イオン濃度）において極大値が存在することが、分かった。
【００５４】
同様に、図１５では、第２のテスト機で、ターボをオンにした状態で、上記各モードのイオン濃度の変化を示す。そして、図１５をもとに、同程度の風量となるクールモード、ドライモードおよびドライヘアケアモードにおいて、イオン濃度をプロットしたグラフを、図１６に示す。
【００５５】
図１６では、菱形に、正イオン濃度を示し、四角形に、負イオン濃度を示し、三角形に、正イオン濃度および負イオン濃度の合計のイオン濃度を示す。図１６から、吹出空気の温度に対する正イオンおよび負イオンの量（イオン濃度）において極大値が存在することが、分かった。
【００５６】
そして、図１０、図１２、図１４、図１６から、極大値または極大値近傍の範囲となるイオン量増加温度範囲を、５０℃から１００℃とすれば、イオンの正イオンおよび負イオンの量を確実に多くすることができることが、分かった。
【００５７】
一方、吹出口１１の吹出空気の温度を低くした場合、放電による水分子の電離が進まず、結果として、ユーザの髪に吹き付けるイオンの量が減少すると考えられる。
【００５８】
また、毛髪は、約５５℃を超えるとケラチンに変性が生じはじめることがある。毛髪のケラチンが変性することにより毛髪が損傷してしまう。
【００５９】
そのため、正イオンおよび負イオンに付随する水分の髪への浸透を促進するには、吹出口１１の吹出温度を一定範囲の温度（以下、促進温度という）にするのが好ましい。この促進温度は、３８℃から５５℃である。３８℃であれば、体の熱を奪うことがないので好ましい。
【００６０】
この実験は、まず、乾燥剤を入れたデシケーターに放置した乾燥状態の毛髪束約５gを吊り下げて、１５ｃｍ上からドライヤ送風を行った。１５分後、毛髪束をＰＰ製ブラシで１０回ブラッシングして、毛髪束の帯電電位を測定した。その結果を表１および図８に示す。
【００６１】
【表１】
0005863404.tif 000002
【００６２】
上記ヘアドライヤを使用する際、上記操作部２１によって、正イオンおよび負イオンに付随する水分の髪への浸透を促進する浸透モードの運転を選択すると、上記制御部２２は、吹出口１１からの吹出空気の温度が正イオンおよび負イオンの髪への浸透が促進される促進温度になるようにヒータ５，５を制御する。このように、上記吹出口１１からの吹出空気の温度が促進温度になって、イオン発生器７で生成される正イオンおよび負イオンのユーザの髪への浸透が促進されるので、これらのイオンに付随する水分が十分に髪に供給され、ケラチンの変性等を防止して、髪へのダメージを大きく低減することができる。
【００６３】
上記実施形態では、操作部２１で浸透モードと通常モードとを切り換えているが、浸透モードを選択するための独立した浸透モード選択ボタンを設けてもよい。また、操作部２１を操作することで、送風ファン６の回転速度を複数段階（例えば、「強」と「弱」の２段階）に調整して、吹出空気の強さを調節できるようにしてもよい。また、ヒータ５，５のオンオフを選択して、冷風を吹き出すか温風を吹き出すか適宜選択できるようにしてもよい。
【００６４】
上記実施形態では、２つのヒータ５，５を設けているが、これに限られず、例えば、ヒータ５を３つ以上設けてもよいし、１つだけでもよい。
【００６５】
上記実施形態では、駆動させるヒータ５，５の数を調節することにより吹出口１１からの吹出空気の温度を調節しているが、例えば、吹出口１１周りに温度検出部を設けて、吹出空気の温度を測定するようにしてもよい。この温度検出部により検出された吹出空気の温度が一定値に達すると、ヒータ５，５への電力を遮断し、また、吹出空気の温度が一定値を下回ると、ヒータ５，５への電力を供給するように制御することにより、吹出口１１からの吹出空気の温度をより正確に自在に調節することができる。
【００６６】
上記実施形態では、Ｈ＋（Ｈ２Ｏ）ｍ（ｍは任意の自然数）である正イオンと、Ｏ２−（Ｈ２Ｏ）ｎ（ｎは任意の自然数）である負イオンとを生成するイオン発生器７を設けているが、これに限られず、単なる正イオンおよび負イオンを生成するものであってもよい。
【００６７】
上記実施形態では、イオン発生器７の正イオン発生部１５と負イオン発生部１６の両方を同時に駆動させているが、これに限られず、正イオン発生部１５のみ、あるいは、負イオン発生部１６のみを駆動できるようにしてもよい。このように構成することで、ユーザは操作部２１を操作することにより、吹出口１１から吹出すイオンを正イオンのみ、負イオンのみ、あるいは、正イオンおよび負イオンの両方になるように適宜選択することができる。
【００６８】
また、上記実施形態において、イオン発生器７は、正イオン発生部１５および負イオン発生部１６で発生する単位時間あたりのイオン量を適宜変更できるような構成であってもよいし、変更できない構成であってもよい。
【００６９】
上記実施形態では、ヘアドライヤを例に、本発明についての説明を行ったが、この発明のヘアケア装置はヘアドライヤに限らず、例えば、ヘアアイロンやロールブラシであっても良く、また、空気を吐出できて、髪のケアに使用できる装置であれば、如何なる装置であっても良い。
【符号の説明】
【００７０】
１  筺体
２  ハンドル
３  吸気フィルタ
４  電源コード
５  ヒータ
６  送風ファン
７  イオン発生器
８  風通路
１０  仕切り板
１１  吹出口
１２  吸込口
１４  係止部
１５  正イオン発生部
１６  負イオン発生部
２１  操作部
２２  制御部
２３  電源部
２５，３５  針電極
２６，３６  誘導電極
２７，２８  電力制御スイッチ部
【図１】
0005863404.tif 000003
【図２】
0005863404.tif 000004
【図３】
0005863404.tif 000005
【図４】
0005863404.tif 000006
【図５】
0005863404.tif 000007
【図６】
0005863404.tif 000008
【図７】
0005863404.tif 000009
【図８】
0005863404.tif 000010
【図９】
0005863404.tif 000011
【図１０】
0005863404.tif 000012
【図１１】
0005863404.tif 000013
【図１２】
0005863404.tif 000014
【図１３】
0005863404.tif 000015
【図１４】
0005863404.tif 000016
【図１５】
0005863404.tif 000017
【図１６】
0005863404.tif 000018